(57)【要約】【課題】竪樋持金物のアンカーの打ち込み箇所を、格別の配慮をすることなく、外観性良くシールできるようにするシール具を提供する。【解決手段】一面を開放させた扁平箱状をなし、この開口１ａを剥離シート３で塞いで、内部にシーリング材２を封入させてなると共に、この開口１ａに対向した他面部１ｂに竪樋持金物ＤのアンカーＤａを突き通し可能な破断可能部１ｃを備えてなる。【選択図】図４
2011247017.tif 000002
【特許請求の範囲】
【請求項１】
一面を開放させた扁平箱状をなし、この開口を剥離シートで塞いで、内部にシーリング材を封入させてなると共に、この開口に対向した他面部に竪樋持金物のアンカーを突き通し可能な破断可能部を備えてなることを特徴とする竪樋持金物のアンカーの打ち込み箇所のシール具。
【発明の詳細な説明】
【技術分野】
【０００１】
この発明は、建物の外壁に竪樋を支持させるために用いられる竪樋持金物のアンカーの打ち込み箇所をこの箇所から雨水が浸入しないようにシールするために用いられるシール具に関する。
【背景技術】
【０００２】
竪樋の持金物として、竪樋の通される支持枠と、建物の外壁に打ち込まれるアンカーとを備えたものが利用されている。かかるアンカーの打ち込み箇所は、シーリング材によりこの箇所から雨水が浸入しないようにシールされる。しかるに、この打ち込み箇所は建物の外観上目立つ部分である反面、このシーリング材によるシールは現場で適宜行われるものであるため、整った仕上がりにし難い場合も少なくなく、また、各打ち込み箇所においてその仕上がりを均一にし難いものであった。
【発明の概要】
【発明が解決しようとする課題】
【０００３】
この発明が解決しようとする主たる問題点は、竪樋持金物のアンカーの打ち込み箇所を、格別の配慮をすることなく、外観性良くシールできるようにするシール具を提供する点にある。
【課題を解決するための手段】
【０００４】
前記課題を達成するために、この発明にあっては、シール具を、一面を開放させた扁平箱状をなし、この開口を剥離シートで塞いで、内部にシーリング材を封入させてなると共に、この開口に対向した他面部に竪樋持金物のアンカーを突き通し可能な破断可能部を備えてなるものとした。
【０００５】
剥離シートを剥がして前記開口を開放させた状態で、シール具の一面を前記金物のアンカーの打ち込み箇所となる建物の壁面に添装させる。この状態から、金物のアンカーを破断可能部を貫通させて建物の外壁に打ち込むと、かかる打ち込み箇所はシール具によって化粧されると同時に、シーリング材はアンカーを取り巻くようにして仕上げ材及び下地材内に入り込み、かかる打ち込み箇所は雨水が浸入しないようにシールされる。
【発明の効果】
【０００６】
この発明によれば、竪樋持金物のアンカーの打ち込み箇所を、この箇所にシール具を添装させた状態からシール具を貫通して外壁にアンカーを打ち込むだけで、外観性良くシールすることができ、一つの竪樋を支持する複数の金物のアンカーの打ち込み箇所をそれぞれ均一に仕上げることができる。
【図面の簡単な説明】
【０００７】
【図１】図１はシール具の斜視構成図である。
【図２】図２はシール具の断面構成図である。
【図３】図３はシール具によって竪樋持金物のアンカーの打ち込み箇所をシールした状態を示した斜視構成図である。
【図４】図４はシール具によって竪樋持金物のアンカーの打ち込み箇所をシールした状態を示した断面構成図である。
【発明を実施するための形態】
【０００８】
以下、図１〜図４に基づいて、この発明の典型的な実施の形態について、説明する。この実施の形態にかかるシール具Ｓは、建物の外壁Ｗに竪樋Ｐを支持させるために用いられる竪樋持金物ＤのアンカーＤａの打ち込み箇所Ｗａをこの箇所から雨水が浸入しないようにシールするために用いられるものである。
【０００９】
竪樋持金物Ｄは、竪樋Ｐを上下方向に通してこれを支持する支持枠Ｄｂと、この支持枠Ｄｂを建物の外壁Ｗに固定させるアンカーＤａとを有している。図示の例では、支持枠Ｄｂは、円環状をなすように構成され、かかる金物Ｄは通称でんでんなどと称されるものとなっている。図示の例では、支持枠Ｄｂは、半円状をなす二つの枠構成材Ｄｃ、Ｄｃを、その湾曲内側が互いに向き合うように組み合わせて構成されている。図中符号Ｄｄは、かかる枠構成材Ｄｃの一端部同士を回動可能に組み合わせるヒンジ部である。かかる枠構成材Ｄｃの他端部には図中符号Ｄｅで示されるパイプ状部が形成され、一方の枠構成材Ｄｃのパイプ状部Ｄｅ下に他方の枠構成材Ｄｃのパイプ状部Ｄｅが両枠構成材Ｄｃの他端部同士を向き合わせた状態において位置されるようになっており、この状態において上下のパイプ状部にピンＤｆを挿通することで一対の枠構成材Ｄｃ、Ｄｃから前記円環状の支持枠Ｄｂが構成されるようになっている。アンカーＤａは、図示の例では、釘状を呈するように構成されている。一対の枠構成材Ｄｃの一方の両端部間であって、この一方の枠構成材Ｄｃの湾曲外側に、アンカーＤａの基部Ｄａ’が一体に接合されている。かかるアンカーＤａは、外壁Ｗを構成するサイディングなどの仕上げ材Ｗｂを通じて胴縁、柱、間柱などの下地材Ｗｃに至るように打ち込まれる。これにより、かかる金物Ｄを介して竪樋Ｐが外壁Ｗに支持される。かかる金物Ｄの支持枠Ｄｂの具体的構成は必要に応じて適宜選択され、例えば、角竪樋の場合には、典型的には、コ字状の支持枠の両端間に針金を掛け渡して、支持枠内でこの角竪樋の支持をなすように構成される。
【００１０】
シール具Ｓは、扁平箱状をなすケース１内にゲル状のシーリング材２を封入して構成されている。ケース１は、壁面への添装側となる一面を開放させて開口１ａとし、これに対向する他面部と、周回側面部とを持つように構成されている。図示の例では、かかるケース１は、短寸の円筒状をなすように構成されている。このケース１の具体的な形状は必要に応じて適宜選択される。例えば、このケース１は短寸の角筒状を呈するように構成しても構わない。
【００１１】
かかるケース１の開口１ａは剥離シートで塞がれている。すなわち、かかるケース１内にシーリング材２を充填した後に、このケース１の開口１ａを剥離シート３で塞いでケース１内にシーリング材２を封入している。図示の例では、剥離シート３はケース１の開口１ａを巡る縁部１ｂにその粘着面を貼着させてこの開口１ａを塞いでいる。剥離シート３にはかかる貼着状態においてかかる縁部１ｂの側方に突き出す耳部３ａが一箇所設けられており、この耳部３ａを利用して前記開口１ａを開放させる剥離操作を行いやすいようにしてある。このケース１の開口１ａの縁部に外向きのフランジを形成させるようにすれば、剥離シート３の貼着される面積を増加されることから、剥離シート３によるケース１の開口１ａの閉塞状態の向上につながる。
【００１２】
また、かかるケース１の前記開口１ａに対向した他面部１ｂには、竪樋持金物ＤのアンカーＤａを突き通し可能な破断可能部１ｃが形成されている。図示の例では、かかる他面部１ｂの中央を他の箇所よりも薄肉に構成することで、この他面部１ｂの中央に前記破断可能部１ｃを形成させている。典型的には、かかるケース１は、合成樹脂の成形品として構成される。
【００１３】
剥離シート３を剥がして前記開口１ａを開放させた状態で、シール具Ｓの一面、つまり、前記ケース１の一面を金物ＤのアンカーＤａの打ち込み箇所Ｗａとなる建物の壁面に添装させる。シーリング材２はゲル状であるので、このようにケース１を壁面に添装させてもシーリング材２はケース１からたれ出し難い。この状態から、金物ＤのアンカーＤａを破断可能部１ｃを貫通させて建物の外壁Ｗに打ち込むと、かかる打ち込み箇所Ｗａはシール具Ｓによって化粧されると同時に、シーリング材２はアンカーＤａを取り巻くようにして仕上げ材Ｗｂ及び下地材Ｗｃ内に入り込み、かかる打ち込み箇所Ｗａは雨水が浸入しないようにシールされる。
【符号の説明】
【００１４】
１ａ  開口
１ｂ  他面部
１ｃ  破断可能部
２  シーリング材
３  剥離シート
Ｄ  竪樋持金物
Ｄａ  アンカー
【図１】
2011247017.tif 000003
【図２】
2011247017.tif 000004
【図３】
2011247017.tif 000005
【図４】
2011247017.tif 000006